(57)【要約】      （修正有）【課題】フリクションの低減を可能とした密封装置を提供する。【解決手段】回転体と静止部との間をシールする密封装置であって、前記回転体側に固定されて回転体と一体となって回転するシール本体１は、シールリップ８が大気側に向かって傾斜する傘型形状に形成されており、静止部側には、前記回転体の回転軸２に対しほぼ直交する面とされたリップ受け面１５が形成され、該リップ受け面に前記シールリップの先端部９が所要の締め代をもって摺接されている。回転体が回転すると、該回転体と一体となって回転するシール本体のシールリップの遠心力により傘型形状のシールリップは傘が開くように弾性変形し、回転軸に対しほぼ直交するリップ受け面に対する締め代が減少するように作用し,また、回転数が上昇するほど遠心力も大きくなり、リップの締め代が減少するように作用するのでフリクションは大幅に低減させることができる。【選択図】図１
2009191913.tif 000002
【特許請求の範囲】
【請求項１】
回転体と静止部との間をシールする密封装置であって、前記回転体側に固定され該回転体と一体に回転するゴム製のシール本体を備え、該シール本体は、外周のシールリップが大気側に向かって傾斜する傘型の形状を有し、上記静止部側には、前記回転体側の回転軸に対し直交する面とされたリップ受け面が形成され、該リップ受け面に前記シールリップの先端部が所要の締め代をもって摺接されてなることを特徴とする密封装置。
【請求項２】
シールリップにおけるリップ受け面との摺接面側に潤滑性樹脂層が設けられていることを特徴とする請求項1記載の密封装置。
【発明の詳細な説明】
【技術分野】
【０００１】
本発明は、回転体と静止部との間で密封流体の漏洩防止に用いられ密封装置に関し、更に詳細には回転体の回転軸に対しほぼ直交する面に形成されるリップ受け面に傘型状のシールリップが摺接して密封する密封装置に関するものである。
【背景技術】
【０００２】
従来より回転部と静止部との間で流体の漏洩防止に用いられる密封装置においては、回転体の回転時のフリクションをできるだけ低く抑えることが求められている。そのための密封装置としてはシールリップに潤滑性のフッ素樹脂層を設けたものが知られている（特許文献1参照）。
【特許文献１】特開２００６ー１５３２０９号公報
【発明の開示】
【発明が解決しようとする課題】
【０００３】
しかしながら、最近ではより一層のフリクション低減を可能とした密封装置が求められており、特許文献１にみられるように単にシールリップにフッ素樹脂層を設けたのみの構成では大幅なフリクション低減を実現することはできないものである。そこで、本発明は上記の事情に鑑み、よりフリクションを低減させるには回転軸と一体的に回転するシール本体のシールリップと該シールリップが摺接するリップ受け面との関係を改善することによりフリクションの低減を可能とした密封装置の提供を目的とするものである。
【課題を解決するための手段】
【０００４】
本発明に係る密封装置は、前記の目的を達成するために、回転体と静止部との間をシールする密封装置であって、前記回転体側に固定され該回転体と一体に回転するゴム製のシール本体を備え、該シール本体は、外周のシールリップが大気側に向かって傾斜する傘型の形状を有し、上記静止部側には、前記回転体側の回転軸に対し直交する面とされたリップ受け面が形成され、該リップ受け面に前記シールリップの先端部が所要の締め代をもって摺接されてなることをその特徴とし、さらに、本密封装置においては、シールリップにおけるリップ受け面との摺接面側に潤滑性樹脂層を設けることが望ましい。
【発明の効果】
【０００５】
本発明の密封装置は、回転体と静止部との間をシールするものであり、前記回転体側に固定され該回転体と一体となって回転するシール本体は、外周のシールリップが大気側に向かって傾斜する傘型の形状を有し、静止部側には、前記回転体側の回転軸に対しほぼ直交する面とされたリップ受け面が形成され、該リップ受け面に前記シールリップの先端部が所要の締め代を持って摺接されており、回転体が回転すると、該回転の遠心力により傘型形状を呈するシール本体のシールリップは傘が開くように弾性変形し、回転軸に対しほぼ直交するリップ受け面に対する締め代が減少するように作用し、また、回転数が上昇するほど遠心力も大きくなりシールリップの締め代が少なくなるように作用するので、フリクションは大幅に低減されることになる。更に、シールリップに潤滑性樹脂層を設けたことで、より一層のフリクション低減が可能となるものである。
【発明を実施するための最良の形態】
【０００６】
本発明の実施の形態を図に基づいて説明する。図１において、本実施の形態における密封装置は、左右対称となるものであるので図１においてはその左半分の断面図を示すものである。回転体と静止部との間で密封流体の漏洩防止を行うゴム製のシール本体１は、中心部に回転軸２に嵌合可能な円筒状の中心孔３を備え、該中心孔３の密封流体側Lの上部を回転軸２から離れる方向に傾斜部４としその傾斜端部より回転軸２と直交する平面部６となし、該平面部６の外周側７より大気側Oに向けて傾斜せしめて傘型の形状としたシールリップ８となし、その先端部９に所要の締め代を与えてリップ受け面との間で密封作用を行うようにし、また、前記シールリップ８の摺動面にフッ素樹脂等の潤滑性樹脂層１０を設けてある。
【０００７】
前記したゴム製のシール本体１の成型時に該シール本体１の形状を保つために埋設される金属製補強環１２は、回転軸２の外径より大径とされた円筒状部１３と該円筒部１３の上部を回転軸２と直交する方向に外側に屈曲せしめたフランジ部１４とした逆L字形をなし、該金属製補強環１２を前記したゴム製のシール本体１に埋設して成型する。このとき、前記した金属製補強環１２の円筒状部１３の内周側には前記したゴム層５が形成され、該ゴム層５によってゴム製のシール本体１が回転軸２に嵌合せしめられ、ゴム製のシール本体１が回転軸２と一体的に回転するように構成してある。
【０００８】
１５は、静止部側に設けられたリップ受け面であり、該リップ受け面１５は、回転軸２にほぼ直交する面とされている。そして、前記したゴム製のシール本体１の傘型形状とされたシールリップ８の先端部９が前記の静止部側のリップ受け面１５に所要の締め代をもって摺接され、密封流体側Lの流体を大気側Oに漏洩するのを防止している。
【０００９】
本実施の形態におけるゴム製のシール本体１を回転軸２に挿着し、ゴム製のシール本体１の傘型状としたシールリップ８の先端部９を静止部側に設けられて回転軸２に直交するようにされたシール受け面１５に所要の締め代でもって摺接させ、このシールリップ８の先端部９が所要の締め代でリップ受け面１５に摺接されたことを確認のうえ、ゴム製のシール本体１を回転軸２に嵌着し、該ゴム製のシール本体１を回転軸２とともに一体的に回転するように設定する。
【００１０】
前記したように構成された密封装置において、回転軸２が回転すると、該回転軸２と一体的に回転するゴム製のシール本体１の傘型状をなすシールリップ８は、回転軸の回転に伴う遠心力によって傘が開くように弾性変形し、シールリップ８の先端部９はリップ受け面１５に対する締め代が減少するように作用する。
【００１１】
上記した回転軸２の回転が上昇するほど遠心力も大きくなってシールリップ８の先端部９のリップ受け面１５に対する締め代が少なくなるように作用するので、フリクションは大幅に低減されることになる。さらに、本実施の形態においては、シールリップ９にフッ素樹脂のような潤滑性樹脂層１０を設けることによって、より一層のフリクションの低減を図ることが可能となるものである。
【００１２】
本発明の実施の形態による密封装置においては、上記したように回転軸２の回転数の上昇に伴ってゴム製のシール本体１の傘型状のシールリップ８が傘が開くように弾性変形し、シールリップ８の先端部９のシール受け面１５に対する締め代が減少する構成であっても充分な密封性が確保されるものである。すなわち、上記したように回転軸２の回転数の上昇に対して前記のシールリップ８の近傍の密封流体にはシールリップ８の回転による遠心力が作用し、密封流体は傘型状に傾斜しているシールリップ８によって外周に向かって弾かれるように流動せしめられるので大気側Ｏに漏れる恐れはない。
【００１３】
また、本発明の実施の形態における密封装置においては、静止部のリップ受け面１５あるいはシールリップにおけるリップ受け面との摺接面側に図2及び図3に示すように回転軸の回転時に大気側Ｏから密封流体側Ｌへのポンプ効果を生じるねじ部１６(図２参照)あるいは外方に向けて所要の曲線を有する放射状溝１７(図３参照)を形成するのがよい、このねじ部等の構成により密封性が更に向上するものである。
【図面の簡単な説明】
【００１４】
【図１】本発明の密封装置の左半部の断面図。
【図２】図1の密封装置のリップ受け面の上面図。
【図３】図1の密封装置のリップ受け面の他の例を示す上面図。
【符号の説明】
【００１５】
１ゴム製のシール本体
２回転軸
８シールリップ
９シールリップの先端部
１０潤滑性樹脂層
１２金属製補強環
１５リップ受け面  
【図１】
2009191913.tif 000003
【図２】
2009191913.tif 000004
【図３】
2009191913.tif 000005